(57)【要約】  情報伝送方法、情報受信方法、端末機器およびネットワーク機器を提供し、前記方法は、端末機器が、伝送される複数のアップリンクチャネル／信号を決定することであって、前記複数のアップリンクチャネル／信号は、時間領域で少なくとも部分的にオーバーラップすることと、前記端末機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を伝送することを決定することとを含む。本発明の実施例において、端末機器は、前記複数のアップリンクチャネル／信号の少なくとも１つのアップリンクチャネル／信号に関する第１の情報に従って、前記複数のアップリンクチャネル／信号のうちの１つのアップリンクチャネル／信号を明確に伝送し、伝送の成功率をさらに向上させることができる。
2021516460.tif 000002
【特許請求の範囲】
【請求項１】
情報伝送方法であって、
端末機器が、伝送される複数のアップリンクチャネル／信号を決定することであって、前記複数のアップリンクチャネル／信号は、時間領域で少なくとも部分的にオーバーラップすることと、
前記端末機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を伝送することを決定することとを含む、前記情報伝送方法。
【請求項２】
前記アップリンクチャネル／信号は、
物理アップリンク共有チャネル（ＰＵＳＣＨ）、
物理アップリンク制御チャネル（ＰＵＣＣＨ）、および
サウンディング基準信号（ＳＲＳ）のうちの少なくとも１つを含む、
請求項１に記載の情報伝送方法。
【請求項３】
前記端末機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を伝送することを決定することは、
前記端末機器が、前記少なくとも１つのアップリンクチャネル／信号に関する第１の情報の時間領域位置および／または前記少なくとも１つのアップリンクチャネル／信号に関する第１の情報のカテゴリに従って、前記複数のアップリンクチャネル／信号のうちの１つのアップリンクチャネル／信号を伝送することを決定することを含む、
請求項１または２に記載の情報伝送方法。
【請求項４】
前記端末機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を伝送することを決定することは、
前記端末機器が、前記複数のアップリンクチャネル／信号のうちの各アップリンクチャネル／信号に関する第１の情報の時間領域位置に従って、前記複数のアップリンクチャネル／信号のうちの１つのアップリンクチャネル／信号を伝送することを決定することを含む、
請求項１または２に記載の情報伝送方法。
【請求項５】
前記端末機器が、前記複数のアップリンクチャネル／信号のうちの各アップリンクチャネル／信号に関する第１の情報の時間領域位置に従って、前記複数のアップリンクチャネル／信号のうちの１つのアップリンクチャネル／信号を伝送することを決定することは、
前記端末機器が、
時間領域では、開始位置が後に位置する第１の情報の優先度が、開始位置が前に位置する第１の情報の優先度より高いという基準に従って、前記各アップリンクチャネル／信号に関する第１の情報の中で優先度が最も高い第１の情報に対応するアップリンクチャネル／信号を伝送することを決定することを含む、
請求項４に記載の情報伝送方法。
【請求項６】
前記端末機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を伝送することを決定することは、
前記端末機器が、前記複数のアップリンクチャネル／信号のうちの各アップリンクチャネル／信号に関する第１の情報のカテゴリに従って、前記複数のアップリンクチャネル／信号のうちの１つのアップリンクチャネル／信号を伝送することを決定することを含む、
請求項１または２に記載の情報伝送方法。
【請求項７】
前記端末機器が、前記複数のアップリンクチャネル／信号のうちの各アップリンクチャネル／信号に関する第１の情報のカテゴリに従って、前記複数のアップリンクチャネル／信号のうちの１つのアップリンクチャネル／信号を伝送することを決定することは、
前記端末機器が、
ダウンリンク制御情報の優先度は上位層シグナリングの優先度より高いという基準に従って、前記各アップリンクチャネル／信号に関する第１の情報のカテゴリの中で優先度が最も高い第１の情報のカテゴリに対応するアップリンクチャネル／信号を伝送することを決定することを含む、
請求項６に記載の情報伝送方法。
【請求項８】
前記端末機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を伝送することを決定することは、
前記端末機器が、前記複数のアップリンクチャネル／信号のうちの各アップリンクチャネル／信号に関する第１の情報の時間領域位置および前記各アップリンクチャネル／信号に関する第１の情報のカテゴリに従って、前記複数のアップリンクチャネル／信号のうちの１つのアップリンクチャネル／信号を伝送することを決定することを含む、
請求項１または２に記載の情報伝送方法。
【請求項９】
前記端末機器が、前記複数のアップリンクチャネル／信号のうちの各アップリンクチャネル／信号に関する第１の情報の時間領域位置および前記各アップリンクチャネル／信号に関する第１の情報のカテゴリに従って、前記複数のアップリンクチャネル／信号のうちの１つのアップリンクチャネル／信号を伝送することを決定することは、
前記端末機器が、
ダウンリンク制御情報の優先度は上位層シグナリングの優先度より高く、
前記第１の情報のカテゴリが同じ場合、時間領域では、開始位置が後に位置する第１の情報の優先度が、開始位置が前に位置する第１の情報の優先度より高いという基準に従って、前記各アップリンクチャネル／信号に関する第１の情報の中で優先度が最も高い第１の情報に対応するアップリンクチャネル／信号を伝送することを決定すること含む、
請求項８に記載の情報伝送方法。
【請求項１０】
前記第１の情報のカテゴリは、
ダウンリンク制御情報および／または上位層シグナリングを含む、
請求項６ないし９のいずれか一項に記載の情報伝送方法。
【請求項１１】
前記アップリンクチャネル／信号に関する第１の情報は、
前記アップリンクチャネル／信号は、動的にスケジューリングされたＰＵＳＣＨであり、前記関連する第１の情報は、ＰＵＳＣＨをスケジューリングするためのダウンリンク制御情報であることと、
前記アップリンクチャネル／信号は、動的にスケジューリングされたＰＵＳＣＨに対応する確認／非確認（ＡＣＫ／ＮＡＣＫ）フィードバック情報を搬送するＰＵＣＣＨであり、前記関連する第１の情報は、ＰＤＳＣＨをスケジューリングするためのダウンリンク制御情報であることと、
前記アップリンクチャネル／信号は、非周期チャネル状態情報（ＣＳＩ）を搬送するＰＵＣＣＨであり、前記関連する第１の情報は、非周期ＣＳＩの伝送をトリガするためのダウンリンク制御情報であることと、
前記アップリンクチャネル／信号は非周期ＳＲＳであり、前記関連する第１の情報は、非周期ＳＲＳの伝送をトリガするためのダウンリンク制御情報であることと、
前記アップリンクチャネル／信号は、半永続的にスケジューリングされたＳＰＳ  ＰＵＳＣＨであり、前記関連する第１の情報は、ＳＰＳ  ＰＵＳＣＨの伝送パラメータを指示する上位層シグナリングであることと、
前記アップリンクチャネル／信号は、半永続にスケジューリングされたＰＤＳＣＨに対応する確認／非確認（ＡＣＫ／ＮＡＣＫ）フィードバック情報を搬送するＰＵＣＣＨであり、前記関連する第１の情報は、ＰＵＣＣＨの伝送パラメータを指示するための上位層シグナリングであることと、
前記アップリンクチャネル／信号は、周期チャネル状態情報（ＣＳＩ）を搬送するＰＵＣＣＨであり、前記関連する第１の情報は、ＰＵＣＣＨの伝送パラメータを指示するための上位層シグナリングであることと、
前記アップリンクチャネル／信号は、半永続的チャネル状態情報（ＳＰＳ  ＣＳＩ）を搬送するＰＵＣＣＨであり、前記関連する第１の情報は、ＰＵＣＣＨの伝送パラメータを指示するための上位層シグナリングであることと、および
前記アップリンクチャネル／信号は周期ＳＲＳであり、前記関連する第１の情報は、ＳＲＳの伝送パラメータを指示するための上位層シグナリングであることとを含む、
請求項１ないし１０のいずれか一項に記載の情報伝送方法。
【請求項１２】
情報受信方法であって、
ネットワーク機器が、受信される複数のアップリンクチャネル／信号を決定することであって、前記複数のアップリンクチャネル／信号は、時間領域で少なくとも部分的にオーバーラップすることと、
前記ネットワーク機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を受信することを決定することとを含む、前記情報受信方法。
【請求項１３】
前記アップリンクチャネル／信号は、
物理アップリンク共有チャネル（ＰＵＳＣＨ）、
物理アップリンク制御チャネル（ＰＵＣＣＨ）、および
サウンディング基準信号（ＳＲＳ）のうちの少なくとも１つを含む、
請求項１２に記載の情報受信方法。
【請求項１４】
前記ネットワーク機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を受信することを決定することは、
前記ネットワーク機器が、前記少なくとも１つのアップリンクチャネル／信号に関する第１の情報の時間領域位置および／または前記少なくとも１つのアップリンクチャネル／信号に関する第１の情報のカテゴリに従って、前記複数のアップリンクチャネル／信号のうちの１つのアップリンクチャネル／信号を受信することを決定することを含む、
請求項１２または１３に記載の情報受信方法。
【請求項１５】
前記ネットワーク機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を受信することを決定することは、
前記ネットワーク機器が、前記複数のアップリンクチャネル／信号のうちの各アップリンクチャネル／信号に関する第１の情報の時間領域位置に従って、前記複数のアップリンクチャネル／信号のうちの１つのアップリンクチャネル／信号を受信することを決定することを含む、
請求項１２または１３に記載の情報受信方法。
【請求項１６】
前記ネットワーク機器が、前記複数のアップリンクチャネル／信号のうちの各アップリンクチャネル／信号に関する第１の情報の時間領域位置に従って、前記複数のアップリンクチャネル／信号のうちの１つのアップリンクチャネル／信号を受信することを決定することは、
前記ネットワーク機器が、
時間領域では、開始位置が後に位置する第１の情報の優先度が、開始位置が前に位置する第１の情報の優先度より高いという基準に従って、前記各アップリンクチャネル／信号に関する第１の情報の中で優先度が最も高い第１の情報に対応するアップリンクチャネル／信号を受信することを決定することを含む、
請求項１５に記載の情報受信方法。
【請求項１７】
前記ネットワーク機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を受信することを決定することは、
前記ネットワーク機器が、前記複数のアップリンクチャネル／信号のうちの各アップリンクチャネル／信号に関する第１の情報のカテゴリに従って、前記複数のアップリンクチャネル／信号のうちの１つのアップリンクチャネル／信号を受信することを決定することを含む、
請求項１２または１３に記載の情報受信方法。
【請求項１８】
前記ネットワーク機器が、前記複数のアップリンクチャネル／信号のうちの各アップリンクチャネル／信号に関する第１の情報のカテゴリに従って、前記複数のアップリンクチャネル／信号のうちの１つのアップリンクチャネル／信号を受信することを決定することは、
前記ネットワーク機器が、
ダウンリンク制御情報の優先度は上位層シグナリングの優先度より高いという基準に従って、前記各アップリンクチャネル／信号に関する第１の情報のカテゴリの中で優先度が最も高い第１の情報のカテゴリに対応するアップリンクチャネル／信号を受信することを決定することを含む、
請求項１７に記載の情報受信方法。
【請求項１９】
前記ネットワーク機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を受信することを決定することは、
前記ネットワーク機器が、前記複数のアップリンクチャネル／信号のうちの各アップリンクチャネル／信号に関する第１の情報の時間領域位置および前記各アップリンクチャネル／信号に関する第１の情報のカテゴリに従って、前記複数のアップリンクチャネル／信号のうちの１つのアップリンクチャネル／信号を受信することを決定することを含む、
請求項１２または１３に記載の情報受信方法。
【請求項２０】
前記ネットワーク機器が、前記複数のアップリンクチャネル／信号のうちの各アップリンクチャネル／信号に関する第１の情報の時間領域位置および前記各アップリンクチャネル／信号に関する第１の情報のカテゴリに従って、前記複数のアップリンクチャネル／信号のうちの１つのアップリンクチャネル／信号を受信することを決定することは、
前記ネットワーク機器が、
ダウンリンク制御情報の優先度は上位層シグナリングの優先度より高く、
前記第１の情報のカテゴリが同じ場合、時間領域では、開始位置が後に位置する第１の情報の優先度が、開始位置が前に位置する第１の情報の優先度より高いという基準に従って、前記各アップリンクチャネル／信号に関する第１の情報の中で優先度が最も高い第１の情報に対応するアップリンクチャネル／信号を受信することを決定することを含む、
請求項１９に記載の情報受信方法。
【請求項２１】
前記第１の情報のカテゴリは、
ダウンリンク制御情報および／または上位層シグナリングを含む、
請求項１７ないし２０のいずれか一項に記載の情報受信方法。
【請求項２２】
前記アップリンクチャネル／信号に関する第１の情報は、
前記アップリンクチャネル／信号は、動的にスケジューリングされたＰＵＳＣＨであり、前記関連する第１の情報は、ＰＵＳＣＨをスケジューリングするためのダウンリンク制御情報であることと、
前記アップリンクチャネル／信号は、動的にスケジューリングされたＰＵＳＣＨに対応する確認／非確認（ＡＣＫ／ＮＡＣＫ）フィードバック情報を搬送するＰＵＣＣＨであり、前記関連する第１の情報は、ＰＤＳＣＨをスケジューリングするためのダウンリンク制御情報であることと、
前記アップリンクチャネル／信号は、非周期チャネル状態情報（ＣＳＩ）を搬送するＰＵＣＣＨであり、前記関連する第１の情報は、非周期ＣＳＩの伝送をトリガするためのダウンリンク制御情報であることと、
前記アップリンクチャネル／信号は非周期ＳＲＳであり、前記関連する第１の情報は、非周期ＳＲＳの伝送をトリガするためのダウンリンク制御情報であることと、
前記アップリンクチャネル／信号は、半永続的にスケジューリングされたＳＰＳ  ＰＵＳＣＨであり、前記関連する第１の情報は、ＳＰＳ  ＰＵＳＣＨの伝送パラメータを指示する上位層シグナリングであることと、
前記アップリンクチャネル／信号は、半永続にスケジューリングされたＰＤＳＣＨに対応する確認／非確認（ＡＣＫ／ＮＡＣＫ）フィードバック情報を搬送するＰＵＣＣＨであり、前記関連する第１の情報は、ＰＵＣＣＨの伝送パラメータを指示するための上位層シグナリングであることと、
前記アップリンクチャネル／信号は、周期チャネル状態情報（ＣＳＩ）を搬送するＰＵＣＣＨであり、前記関連する第１の情報は、ＰＵＣＣＨの伝送パラメータを指示するための上位層シグナリングであることと、
前記アップリンクチャネル／信号は、半永続的チャネル状態情報（ＳＰＳ  ＣＳＩ）を搬送するＰＵＣＣＨであり、前記関連する第１の情報は、ＰＵＣＣＨの伝送パラメータを指示するための上位層シグナリングであることと、および
前記アップリンクチャネル／信号は周期ＳＲＳであり、前記関連する第１の情報は、ＳＲＳの伝送パラメータを指示するための上位層シグナリングであることとを含む、
請求項１２ないし２１のいずれか一項に記載の情報受信方法。
【請求項２３】
端末機器であって
伝送される複数のアップリンクチャネル／信号を決定するように構成される決定ユニットであって、前記複数のアップリンクチャネル／信号は、時間領域で少なくとも部分的にオーバーラップする決定ユニットと、
前記複数のアップリンクチャネル／信号の少なくとも１つのアップリンクチャネル／信号に関する第１の情報に従って、前記複数のアップリンクチャネル／信号のうちの１つのアップリンクチャネル／信号を伝送することを決定するように構成される伝送ユニットを含む、前記端末機器。
【請求項２４】
前記アップリンクチャネル／信号は、
物理アップリンク共有チャネル（ＰＵＳＣＨ）、
物理アップリンク制御チャネル（ＰＵＣＣＨ）、および
サウンディング基準信号（ＳＲＳ）のうちの少なくとも１つを含む、
請求項２３に記載の端末機器。  
【請求項２５】
前記伝送ユニットは、具体的に、
前記少なくとも１つのアップリンクチャネル／信号に関する第１の情報の時間領域位置および／または前記少なくとも１つのアップリンクチャネル／信号に関する第１の情報のカテゴリに従って、前記複数のアップリンクチャネル／信号のうちの１つのアップリンクチャネル／信号を伝送することを決定するように構成される、
請求項２３または２４に記載の端末機器。
【請求項２６】
前記伝送ユニットは、具体的に、
前記複数のアップリンクチャネル／信号のうちの各アップリンクチャネル／信号に関する第１の情報の時間領域位置に従って、前記複数のアップリンクチャネル／信号のうちの１つのアップリンクチャネル／信号を伝送することを決定するように構成される、
請求項２３または２４に記載の端末機器。
【請求項２７】
前記伝送ユニットは、より具体的に、
時間領域では、開始位置が後に位置する第１の情報の優先度が、開始位置が前に位置する第１の情報の優先度より高いという基準に従って、前記各アップリンクチャネル／信号に関する第１の情報の中で優先度が最も高い第１の情報に対応するアップリンクチャネル／信号を伝送することを決定するように構成される、
請求項２６に記載の端末機器。
【請求項２８】
前記伝送ユニットは、具体的に、
前記複数のアップリンクチャネル／信号のうちの各アップリンクチャネル／信号に関する第１の情報のカテゴリに従って、前記複数のアップリンクチャネル／信号のうちの１つのアップリンクチャネル／信号を伝送することを決定するように構成される、
請求項２３または２４に記載の端末機器。
【請求項２９】
前記伝送ユニットは、より具体的に、
ダウンリンク制御情報の優先度は上位層シグナリングの優先度より高いという基準に従って、前記各アップリンクチャネル／信号に関する第１の情報のカテゴリの中で優先度が最も高い第１の情報のカテゴリに対応するアップリンクチャネル／信号を伝送することを決定するように構成される、
請求項２８に記載の端末機器。
【請求項３０】
前記伝送ユニットは、具体的に、
前記複数のアップリンクチャネル／信号のうちの各アップリンクチャネル／信号に関する第１の情報の時間領域位置および前記各アップリンクチャネル／信号に関する第１の情報のカテゴリに従って、前記複数のアップリンクチャネル／信号のうちの１つのアップリンクチャネル／信号を伝送することを決定するように構成される、
請求項２３または２４に記載の端末機器。
【請求項３１】
前記伝送ユニットは、より具体的に、
ダウンリンク制御情報の優先度は上位層シグナリングの優先度より高く、
前記第１の情報のカテゴリが同じ場合、時間領域では、開始位置が後に位置する第１の情報の優先度が、開始位置が前に位置する第１の情報の優先度より高いという基準に従って、前記各アップリンクチャネル／信号に関する第１の情報の中で優先度が最も高い第１の情報に対応するアップリンクチャネル／信号を伝送することを決定するように構成される、
請求項３０に記載の端末機器。
【請求項３２】
前記第１の情報のカテゴリは、
ダウンリンク制御情報および／または上位層シグナリングを含む、
請求項２８ないし３１のいずれか一項に記載の端末機器。
【請求項３３】
前記アップリンクチャネル／信号に関する第１の情報は、
前記アップリンクチャネル／信号は、動的にスケジューリングされたＰＵＳＣＨであり、前記関連する第１の情報は、ＰＵＳＣＨをスケジューリングするためのダウンリンク制御情報であることと、
前記アップリンクチャネル／信号は、動的にスケジューリングされたＰＵＳＣＨに対応する確認／非確認（ＡＣＫ／ＮＡＣＫ）フィードバック情報を搬送するＰＵＣＣＨであり、前記関連する第１の情報は、ＰＤＳＣＨをスケジューリングするためのダウンリンク制御情報であることと、
前記アップリンクチャネル／信号は、非周期チャネル状態情報（ＣＳＩ）を搬送するＰＵＣＣＨであり、前記関連する第１の情報は、非周期ＣＳＩの伝送をトリガするためのダウンリンク制御情報であることと、
前記アップリンクチャネル／信号は非周期ＳＲＳであり、前記関連する第１の情報は、非周期ＳＲＳの伝送をトリガするためのダウンリンク制御情報であることと、
前記アップリンクチャネル／信号は、半永続的にスケジューリングされたＳＰＳ  ＰＵＳＣＨであり、前記関連する第１の情報は、ＳＰＳ  ＰＵＳＣＨの伝送パラメータを指示する上位層シグナリングであることと、
前記アップリンクチャネル／信号は、半永続にスケジューリングされたＰＤＳＣＨに対応する確認／非確認（ＡＣＫ／ＮＡＣＫ）フィードバック情報を搬送するＰＵＣＣＨであり、前記関連する第１の情報は、ＰＵＣＣＨの伝送パラメータを指示するための上位層シグナリングであることと、
前記アップリンクチャネル／信号は、周期チャネル状態情報（ＣＳＩ）を搬送するＰＵＣＣＨであり、前記関連する第１の情報は、ＰＵＣＣＨの伝送パラメータを指示するための上位層シグナリングであることと、
前記アップリンクチャネル／信号は、半永続的チャネル状態情報（ＳＰＳ  ＣＳＩ）を搬送するＰＵＣＣＨであり、前記関連する第１の情報は、ＰＵＣＣＨの伝送パラメータを指示するための上位層シグナリングであることと、および
前記アップリンクチャネル／信号は周期ＳＲＳであり、前記関連する第１の情報は、ＳＲＳの伝送パラメータを指示するための上位層シグナリングであることとを含む、
請求項２３ないし３２のいずれか一項に記載の端末機器。
【請求項３４】
ネットワーク機器であって、
受信される複数のアップリンクチャネル／信号を決定するように構成される決定ユニットであって、前記複数のアップリンクチャネル／信号は、時間領域で少なくとも部分的にオーバーラップする決定ユニットと、
前記複数のアップリンクチャネル／信号の少なくとも１つのアップリンクチャネル／信号に関する第１の情報に従って、前記複数のアップリンクチャネル／信号のうちの１つのアップリンクチャネル／信号を受信することを決定するように構成される受信ユニットを含む、前記ネットワーク機器。
【請求項３５】
前記アップリンクチャネル／信号は、
物理アップリンク共有チャネル（ＰＵＳＣＨ）、
物理アップリンク制御チャネル（ＰＵＣＣＨ）、および
サウンディング基準信号（ＳＲＳ）のうちの少なくとも１つを含む、
請求項３４に記載のネットワーク機器。
【請求項３６】
前記受信ユニットは、具体的に、
前記少なくとも１つのアップリンクチャネル／信号に関する第１の情報の時間領域位置および／または前記少なくとも１つのアップリンクチャネル／信号に関する第１の情報のカテゴリに従って、前記複数のアップリンクチャネル／信号のうちの１つのアップリンクチャネル／信号を受信することを決定するように構成される、
請求項３４または３５に記載のネットワーク機器。
【請求項３７】
前記受信ユニットは、具体的に、
前記複数のアップリンクチャネル／信号のうちの各アップリンクチャネル／信号に関する第１の情報の時間領域位置に従って、前記複数のアップリンクチャネル／信号のうちの１つのアップリンクチャネル／信号を受信することを決定するように構成される、
請求項３４または３５に記載のネットワーク機器。
【請求項３８】
前記受信ユニットは、より具体的に、
時間領域では、開始位置が後に位置する第１の情報の優先度が、開始位置が前に位置する第１の情報の優先度より高いという基準に従って、前記各アップリンクチャネル／信号に関する第１の情報の中で優先度が最も高い第１の情報に対応するアップリンクチャネル／信号を受信することを決定するように構成される、
請求項３７に記載のネットワーク機器。
【請求項３９】
前記受信ユニットは、具体的に、
前記複数のアップリンクチャネル／信号のうちの各アップリンクチャネル／信号に関する第１の情報のカテゴリに従って、前記複数のアップリンクチャネル／信号のうちの１つのアップリンクチャネル／信号を受信することを決定するように構成される、
請求項３４または３５に記載のネットワーク機器。
【請求項４０】
前記受信ユニットは、より具体的に、
ダウンリンク制御情報の優先度は上位層シグナリングの優先度より高いという基準に従って、前記各アップリンクチャネル／信号に関する第１の情報のカテゴリの中で優先度が最も高い第１の情報のカテゴリに対応するアップリンクチャネル／信号を受信することを決定するように構成される、
請求項３９に記載のネットワーク機器。
【請求項４１】
前記受信ユニットは、具体的に、
前記複数のアップリンクチャネル／信号のうちの各アップリンクチャネル／信号に関する第１の情報の時間領域位置および前記各アップリンクチャネル／信号に関する第１の情報のカテゴリに従って、前記複数のアップリンクチャネル／信号のうちの１つのアップリンクチャネル／信号を受信することを決定するように構成される、
請求項３４または３５に記載のネットワーク機器。
【請求項４２】
前記受信ユニットは、より具体的に、
ダウンリンク制御情報の優先度は上位層シグナリングの優先度より高く、
前記第１の情報のカテゴリが同じ場合、時間領域では、開始位置が後に位置する第１の情報の優先度が、開始位置が前に位置する第１の情報の優先度より高いという基準に従って、前記各アップリンクチャネル／信号に関する第１の情報の中で優先度が最も高い第１の情報に対応するアップリンクチャネル／信号を受信することを決定するように構成される、
請求項４１に記載のネットワーク機器。
【請求項４３】
前記第１の情報のカテゴリは、
ダウンリンク制御情報および／または上位層シグナリングを含む、
請求項３９ないし４２のいずれか一項に記載のネットワーク機器。
【請求項４４】
前記アップリンクチャネル／信号に関する第１の情報は、
前記アップリンクチャネル／信号は、動的にスケジューリングされたＰＵＳＣＨであり、前記関連する第１の情報は、ＰＵＳＣＨをスケジューリングするためのダウンリンク制御情報であることと、
前記アップリンクチャネル／信号は、動的にスケジューリングされたＰＵＳＣＨに対応する確認／非確認（ＡＣＫ／ＮＡＣＫ）フィードバック情報を搬送するＰＵＣＣＨであり、前記関連する第１の情報は、ＰＤＳＣＨをスケジューリングするためのダウンリンク制御情報であることと、
前記アップリンクチャネル／信号は、非周期チャネル状態情報（ＣＳＩ）を搬送するＰＵＣＣＨであり、前記関連する第１の情報は、非周期ＣＳＩの伝送をトリガするためのダウンリンク制御情報であることと、
前記アップリンクチャネル／信号は非周期ＳＲＳであり、前記関連する第１の情報は、非周期ＳＲＳの伝送をトリガするためのダウンリンク制御情報であることと、
前記アップリンクチャネル／信号は、半永続的にスケジューリングされたＳＰＳ  ＰＵＳＣＨであり、前記関連する第１の情報は、ＳＰＳ  ＰＵＳＣＨの伝送パラメータを指示する上位層シグナリングであることと、
前記アップリンクチャネル／信号は、半永続的にスケジューリングされたＰＤＳＣＨに対応する確認／非確認（ＡＣＫ／ＮＡＣＫ）フィードバック情報を搬送するＰＵＣＣＨであり、前記関連する第１の情報は、ＰＵＣＣＨの伝送パラメータを指示するための上位層シグナリングであることと、
前記アップリンクチャネル／信号は、周期チャネル状態情報（ＣＳＩ）を搬送するＰＵＣＣＨであり、前記関連する第１の情報は、ＰＵＣＣＨの伝送パラメータを指示するための上位層シグナリングであることと、
前記アップリンクチャネル／信号は、半永続的チャネル状態情報（ＳＰＳ  ＣＳＩ）を搬送するＰＵＣＣＨであり、前記関連する第１の情報は、ＰＵＣＣＨの伝送パラメータを指示するための上位層シグナリングであることと、および
前記アップリンクチャネル／信号は周期ＳＲＳであり、前記関連する第１の情報は、ＳＲＳの伝送パラメータを指示するための上位層シグナリングであることとを含む、
請求項３４ないし４３のいずれか一項に記載のネットワーク機器。
【発明の詳細な説明】
【技術分野】
【０００１】
本発明の実施例は、通信分野に関し、より具体的に、情報伝送方法、情報受信方法、端末機器およびネットワーク機器に関する。
【背景技術】
【０００２】
現在の第５世代移動通信技術（５Ｇ：５−Ｇｅｎｅｒａｔｉｏｎ）のニューラジオ（ＮＲ：Ｎｅｗ  Ｒａｄｉｏ）システムでは、２種類の時間の長さの物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）、即ち短いＰＵＣＣＨ（ｓｈｏｒｔ−ＰＵＣＣＨ）および長いＰＵＣＣＨ（ｌｏｎｇ−ＰＵＣＣＨ）をサポートする。ここで、短いＰＵＣＣＨは１つまたは２つの時間領域シンボルを含み、１つのｓｌｏｔ内の任意のシンボル上で伝送することができ、長いＰＵＣＣＨは、４つ〜１４つの時間領域シンボルを含む。さらに、５Ｇシステムの物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）は柔軟なスケジューリング、即ち時間領域の開始位置および持続時間の動的構成可能などのことをサポートする。したがって、１つのユーザ機器（ＵＥ：Ｕｓｅｒ  Ｅｑｕｉｐｍｅｎｔ）にとって、伝送されるＰＵＣＣＨおよびＰＵＳＣＨが時間領域で様々なオーバーラップ状況がある。
【０００３】
しかし、１つのキャリア内にＰＵＣＣＨとＰＵＳＣＨが同時に存在する場合、現在のＮＲシステムは、２つのチャネルを同時に伝送することをサポートしない。異なるオーバーラップ状況に対して、対応する伝送解決案の決定方法は、現在では決定された解決案はない。
【発明の概要】
【発明が解決しようとする課題】
【０００４】
情報伝送方法、情報受信方法、端末機器およびネットワーク機器を提供し、端末機器に時間領域で少なくとも部分的にオーバーラップされた、伝送される複数のアップリンクチャネル／信号がある場合、アップリンクチャネル／信号を効率的に伝送することができるようにする。
【課題を解決するための手段】
【０００５】
第１の態様において、情報伝送方法を提供し、
端末機器が、伝送される複数のアップリンクチャネル／信号を決定することであって、前記複数のアップリンクチャネル／信号は、時間領域で少なくとも部分的にオーバーラップすることと、前記端末機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を伝送することを決定することとを含む。
【０００６】
本発明の実施例において、端末機器は、複数のアップリンクチャネル／信号の少なくとも１つのアップリンクチャネル／信号に関する第１の情報に従って、前記複数のアップリンクチャネル／信号のうちの１つのアップリンクチャネル／信号を明確的に伝送し、伝送の成功率をさらに向上させることができる。
【０００７】
いくつかの可能な実現方法において、前記アップリンクチャネル／信号は、
物理アップリンク共有チャネル（ＰＵＳＣＨ）、物理アップリンク制御チャネル（ＰＵＣＣＨ）、およびサウンディング基準信号（ＳＲＳ）のうちの少なくとも１つを含む。
【０００８】
いくつかの可能な実現方法において、前記端末機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を伝送することを決定することは、
前記端末機器が、前記少なくとも１つのアップリンクチャネル／信号に関する第１の情報の時間領域位置および／または前記少なくとも１つのアップリンクチャネル／信号に関する第１の情報のカテゴリに従って、前記複数のアップリンクチャネル／信号のうちの１つのアップリンクチャネル／信号を伝送することを決定することを含む。
【０００９】
いくつかの可能な実現方法において、前記端末機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を伝送することを決定することは、
前記端末機器が、前記複数のアップリンクチャネル／信号のうちの各アップリンクチャネル／信号に関する第１の情報の時間領域位置に従って、前記複数のアップリンクチャネル／信号のうちの１つのアップリンクチャネル／信号を伝送することを決定することを含む。
【００１０】
いくつかの可能な実現方法において、前記端末機器が、前記複数のアップリンクチャネル／信号のうちの各アップリンクチャネル／信号に関する第１の情報の時間領域位置に従って、前記複数のアップリンクチャネル／信号のうちの１つのアップリンクチャネル／信号を伝送することを決定することは、
前記端末機器が、
時間領域では、開始位置が後に位置する第１の情報の優先度が、開始位置が前に位置する第１の情報の優先度より高いという基準に従って、前記各アップリンクチャネル／信号に関する第１の情報の中で優先度が最も高い第１の情報に対応するアップリンクチャネル／信号を伝送することを決定することを含む。
【００１１】
いくつかの可能な実現方法において、前記端末機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を伝送することを決定することは、
前記端末機器が、前記複数のアップリンクチャネル／信号のうちの各アップリンクチャネル／信号に関する第１の情報のカテゴリに従って、前記複数のアップリンクチャネル／信号のうちの１つのアップリンクチャネル／信号を伝送することを決定することを含む。
【００１２】
いくつかの可能な実現方法において、前記端末機器が、前記複数のアップリンクチャネル／信号のうちの各アップリンクチャネル／信号に関する第１の情報のカテゴリに従って、前記複数のアップリンクチャネル／信号のうちの１つのアップリンクチャネル／信号を伝送することを決定することは、
前記端末機器が、
ダウンリンク制御情報の優先度は上位層シグナリングの優先度より高いという基準に従って、前記各アップリンクチャネル／信号に関する第１の情報のカテゴリの中で優先度が最も高い第１の情報のカテゴリに対応するアップリンクチャネル／信号を伝送することを決定することを含む。
【００１３】
いくつかの可能な実現方法において、前記端末機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を伝送することを決定することは、
前記端末機器が、前記複数のアップリンクチャネル／信号のうちの各アップリンクチャネル／信号に関する第１の情報の時間領域位置および前記各アップリンクチャネル／信号に関する第１の情報のカテゴリに従って、前記複数のアップリンクチャネル／信号のうちの１つのアップリンクチャネル／信号を伝送することを決定することを含む。
【００１４】
いくつかの可能な実現方法において、前記端末機器が、前記複数のアップリンクチャネル／信号のうちの各アップリンクチャネル／信号に関する第１の情報の時間領域位置および前記各アップリンクチャネル／信号に関する第１の情報のカテゴリに従って、前記複数のアップリンクチャネル／信号のうちの１つのアップリンクチャネル／信号を伝送することを決定することは、
前記端末機器が、
ダウンリンク制御情報の優先度は上位層シグナリングの優先度より高く、
前記第１の情報のカテゴリが同じ場合、時間領域では、開始位置が後に位置する第１の情報の優先度が、開始位置が前に位置する第１の情報の優先度より高いという基準に従って、前記各アップリンクチャネル／信号に関する第１の情報の中で優先度が最も高い第１の情報に対応するアップリンクチャネル／信号を伝送することを決定することを含む。
【００１５】
いくつかの可能な実現方法において、前記第１の情報のカテゴリは、
ダウンリンク制御情報および／または上位層シグナリングを含む。
【００１６】
いくつかの可能な実現方法において、前記アップリンクチャネル／信号に関する第１の情報は、
前記アップリンクチャネル／信号は、動的にスケジューリングされたＰＵＳＣＨであり、前記関連する第１の情報は、ＰＵＳＣＨをスケジューリングするためのダウンリンク制御情報であることと、前記アップリンクチャネル／信号は、動的にスケジューリングされたＰＵＳＣＨに対応する確認／非確認（ＡＣＫ／ＮＡＣＫ）フィードバック情報を搬送するＰＵＣＣＨであり、前記関連する第１の情報は、ＰＤＳＣＨをスケジューリングするためのダウンリンク制御情報であることと、前記アップリンクチャネル／信号は、非周期チャネル状態情報（ＣＳＩ）を搬送するＰＵＣＣＨであり、前記関連する第１の情報は、非周期ＣＳＩの伝送をトリガするためのダウンリンク制御情報であることと、前記アップリンクチャネル／信号は非周期ＳＲＳであり、前記関連する第１の情報は、非周期ＳＲＳの伝送をトリガするためのダウンリンク制御情報であることと、前記アップリンクチャネル／信号は、半永続的にスケジューリングされたＳＰＳ  ＰＵＳＣＨであり、前記関連する第１の情報は、ＳＰＳ  ＰＵＳＣＨの伝送パラメータを指示する上位層シグナリングであることと、前記アップリンクチャネル／信号は、半永続的にスケジューリングされたＰＤＳＣＨに対応する確認／非確認（ＡＣＫ／ＮＡＣＫ）フィードバック情報を搬送するＰＵＣＣＨであり、前記関連する第１の情報は、ＰＵＣＣＨの伝送パラメータを指示するための上位層シグナリングであることと、前記アップリンクチャネル／信号は、周期チャネル状態情報（ＣＳＩ）を搬送するＰＵＣＣＨであり、前記関連する第１の情報は、ＰＵＣＣＨの伝送パラメータを指示するための上位層シグナリングであることと、前記アップリンクチャネル／信号は、半永続的チャネル状態情報（ＳＰＳ  ＣＳＩ）を搬送するＰＵＣＣＨであり、前記関連する第１の情報は、ＰＵＣＣＨの伝送パラメータを指示するための上位層シグナリングであることと、および前記アップリンクチャネル／信号は周期ＳＲＳであり、前記関連する第１の情報は、ＳＲＳの伝送パラメータを指示するための上位層シグナリングであることとを含む。
【００１７】
第２の態様において、情報受信方法を提供し、前記情報受信方法は、
ネットワーク機器が、受信される複数のアップリンクチャネル／信号を決定することであって、前記複数のアップリンクチャネル／信号は、時間領域で少なくとも部分的にオーバーラップすることと、
前記ネットワーク機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を受信することを決定することを含む。
【００１８】
いくつかの可能な実現方法において、前記アップリンクチャネル／信号は、
物理アップリンク共有チャネル（ＰＵＳＣＨ）、物理アップリンク制御チャネル（ＰＵＣＣＨ）、およびサウンディング基準信号（ＳＲＳ）のうちの少なくとも１つを含む。
【００１９】
いくつかの可能な実現方法において、前記ネットワーク機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を受信することを決定することは、
前記ネットワーク機器前記少なくとも１つのアップリンクチャネル／信号に関する第１の情報の時間領域位置および／または前記少なくとも１つのアップリンクチャネル／信号に関する第１の情報のカテゴリに従って、前記複数のアップリンクチャネル／信号のうちの１つのアップリンクチャネル／信号を受信することを決定することを含む。
【００２０】
いくつかの可能な実現方法において、前記ネットワーク機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を受信することを決定することは、
前記ネットワーク機器が、前記複数のアップリンクチャネル／信号のうちの各アップリンクチャネル／信号に関する第１の情報の時間領域位置に従って、前記複数のアップリンクチャネル／信号のうちの１つのアップリンクチャネル／信号を受信することを決定することを含む。
【００２１】
いくつかの可能な実現方法において、前記ネットワーク機器が、前記複数のアップリンクチャネル／信号のうちの各アップリンクチャネル／信号に関する第１の情報の時間領域位置に従って、前記複数のアップリンクチャネル／信号のうちの１つのアップリンクチャネル／信号を受信することを決定することは、
前記ネットワーク機器が、
時間領域では、開始位置が後に位置する第１の情報の優先度が、開始位置が前に位置する第１の情報の優先度より高いという基準に従って、前記各アップリンクチャネル／信号に関する第１の情報の中で優先度が最も高い第１の情報に対応するアップリンクチャネル／信号を受信することを決定することを含む。
【００２２】
いくつかの可能な実現方法において、前記ネットワーク機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を受信することを決定することは、
前記ネットワーク機器が、前記複数のアップリンクチャネル／信号のうちの各アップリンクチャネル／信号に関する第１の情報のカテゴリに従って、前記複数のアップリンクチャネル／信号のうちの１つのアップリンクチャネル／信号を受信することを決定することを含む。
【００２３】
いくつかの可能な実現方法において、前記ネットワーク機器が、前記複数のアップリンクチャネル／信号のうちの各アップリンクチャネル／信号に関する第１の情報のカテゴリに従って、前記複数のアップリンクチャネル／信号のうちの１つのアップリンクチャネル／信号を受信することを決定することは、
前記ネットワーク機器が、
ダウンリンク制御情報の優先度は上位層シグナリングの優先度より高いという基準に従って、前記各アップリンクチャネル／信号に関する第１の情報のカテゴリの中で優先度が最も高い第１の情報のカテゴリに対応するアップリンクチャネル／信号を受信することを決定することを含む。
【００２４】
いくつかの可能な実現方法において、前記ネットワーク機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を受信することを決定することは、
前記ネットワーク機器が、前記複数のアップリンクチャネル／信号のうちの各アップリンクチャネル／信号に関する第１の情報の時間領域位置および前記各アップリンクチャネル／信号に関する第１の情報のカテゴリに従って、前記複数のアップリンクチャネル／信号のうちの１つのアップリンクチャネル／信号を受信することを決定することを含む。
【００２５】
いくつかの可能な実現方法において、前記ネットワーク機器が、前記複数のアップリンクチャネル／信号のうちの各アップリンクチャネル／信号に関する第１の情報の時間領域位置および前記各アップリンクチャネル／信号に関する第１の情報のカテゴリに従って、前記複数のアップリンクチャネル／信号のうちの１つのアップリンクチャネル／信号を受信することを決定することは、
前記ネットワーク機器が、
ダウンリンク制御情報の優先度は上位層シグナリングの優先度より高く、
前記第１の情報のカテゴリが同じ場合、時間領域では、開始位置が後に位置する第１の情報の優先度が、開始位置が前に位置する第１の情報の優先度より高いという基準に従って、前記各アップリンクチャネル／信号に関する第１の情報の中で優先度が最も高い第１の情報に対応するアップリンクチャネル／信号を受信することを決定することを含む。
【００２６】
いくつかの可能な実現方法において、前記第１の情報のカテゴリは、
ダウンリンク制御情報および／または上位層シグナリングを含む。
【００２７】
いくつかの可能な実現方法において、前記アップリンクチャネル／信号に関する第１の情報は、
前記アップリンクチャネル／信号は、動的にスケジューリングされたＰＵＳＣＨであり、前記関連する第１の情報は、ＰＵＳＣＨをスケジューリングするためのダウンリンク制御情報であることと、前記アップリンクチャネル／信号は、動的にスケジューリングされたＰＵＳＣＨに対応する確認／非確認（ＡＣＫ／ＮＡＣＫ）フィードバック情報を搬送するＰＵＣＣＨであり、前記関連する第１の情報は、ＰＤＳＣＨをスケジューリングするためのダウンリンク制御情報であることと、前記アップリンクチャネル／信号は、非周期チャネル状態情報（ＣＳＩ）を搬送するＰＵＣＣＨであり、前記関連する第１の情報は、非周期ＣＳＩの伝送をトリガするためのダウンリンク制御情報であることと、前記アップリンクチャネル／信号は非周期ＳＲＳであり、前記関連する第１の情報は、非周期ＳＲＳの伝送をトリガするためのダウンリンク制御情報であることと、前記アップリンクチャネル／信号は、半永続的にスケジューリングされたＳＰＳ  ＰＵＳＣＨであり、前記関連する第１の情報は、ＳＰＳ  ＰＵＳＣＨの伝送パラメータを指示する上位層シグナリングであることと、前記アップリンクチャネル／信号は、半永続的にスケジューリングされたＰＤＳＣＨに対応する確認／非確認（ＡＣＫ／ＮＡＣＫ）フィードバック情報を搬送するＰＵＣＣＨであり、前記関連する第１の情報は、ＰＵＣＣＨの伝送パラメータを指示するための上位層シグナリングであることと、前記アップリンクチャネル／信号は、周期チャネル状態情報（ＣＳＩ）を搬送するＰＵＣＣＨであり、前記関連する第１の情報は、ＰＵＣＣＨの伝送パラメータを指示するための上位層シグナリングであることと、前記アップリンクチャネル／信号は、半永続的チャネル状態情報（ＳＰＳ  ＣＳＩ）を搬送するＰＵＣＣＨであり、前記関連する第１の情報は、ＰＵＣＣＨの伝送パラメータを指示するための上位層シグナリングであることと、および前記アップリンクチャネル／信号は周期ＳＲＳであり、前記関連する第１の情報は、ＳＲＳの伝送パラメータを指示するための上位層シグナリングであることとを含む。
【００２８】
第３の態様において、端末機器を提供し、前記端末機器は、
伝送される複数のアップリンクチャネル／信号を決定するように構成される決定ユニットであって、前記複数のアップリンクチャネル／信号は、時間領域で少なくとも部分的にオーバーラップする決定ユニットと、
前記複数のアップリンクチャネル／信号の少なくとも１つのアップリンクチャネル／信号に関する第１の情報に従って、前記複数のアップリンクチャネル／信号のうちの１つのアップリンクチャネル／信号を伝送することを決定するように構成される伝送ユニットを含む。
【００２９】
第４の態様において、端末機器を提供し、前記端末機器は、
伝送される複数のアップリンクチャネル／信号を決定するように構成されるプロセッサであって、前記複数のアップリンクチャネル／信号は、時間領域で少なくとも部分的にオーバーラップするプロセッサと、
前記複数のアップリンクチャネル／信号の少なくとも１つのアップリンクチャネル／信号に関する第１の情報に従って、前記複数のアップリンクチャネル／信号のうちの１つのアップリンクチャネル／信号を伝送することを決定するするように構成されるトランシーバとを含む。
【００３０】
第５の態様において、ネットワーク機器を提供し、前記ネットワーク機器は、
受信される複数のアップリンクチャネル／信号を決定するように構成される決定ユニットであって、前記複数のアップリンクチャネル／信号は、時間領域で少なくとも部分的にオーバーラップする決定ユニットと、
前記複数のアップリンクチャネル／信号の少なくとも１つのアップリンクチャネル／信号に関する第１の情報に従って、前記複数のアップリンクチャネル／信号のうちの１つのアップリンクチャネル／信号を受信することを決定するように構成される受信ユニットとを含む。
【００３１】
第６の態様において、ネットワーク機器を提供し、前記ネットワーク機器は、
受信される複数のアップリンクチャネル／信号を決定するように構成されるプロセッサであって、前記複数のアップリンクチャネル／信号は、時間領域で少なくとも部分的にオーバーラップするプロセッサと、
前記複数のアップリンクチャネル／信号の少なくとも１つのアップリンクチャネル／信号に関する第１の情報に従って、前記複数のアップリンクチャネル／信号のうちの１つのアップリンクチャネル／信号を受信することを決定するするように構成されるトランシーバとを含む。
【００３２】
第７の態様において、コンピュータプログラムを記憶するためのコンピュータ読み取り可能な媒体を提供し、前記コンピュータプログラムは、第１の態様または第２の態様の方法の実施例を実行するための命令を含む。
【００３３】
第８の態様において、入力インターフェース、出力インターフェース、少なくとも１つのプロセッサ、メモリを含むコンピュータチップを提供し、前記プロセッサは、前記メモリ内のコードを実行するように構成され、前記コードが実行される場合、前記プロセッサは、前記第１の態様および様々な実現方法における方法の実施例の、端末機器によって実行される様々なプロセスを実現することができる。
【００３４】
第９の態様において、入力インターフェース、出力インターフェース、少なくとも１つのプロセッサ、メモリを含むコンピュータチップを提供し、前記プロセッサは、前記メモリ内のコードを実行するように構成され、前記コードが実行される場合、前記プロセッサは、前記第１の態様および様々な実現方法における方法の実施例の、ネットワーク機器によって実行される様々なプロセスを実現することができる。
【００３５】
第１０の態様において、前述したネットワーク機器、および前述に記載の端末機器を含む通信システムを提供する。
【図面の簡単な説明】
【００３６】
【図１】本発明の適用シナリオの例である。
【図２】本発明の実施例の情報伝送方法の例示的なフローチャートである。
【図３】本発明の実施例の端末機器に２つのチャネル／信号があるシナリオの例である。
【図４】ないし
【図６】本発明の実施例の端末機器が、図３のシナリオでの第１の情報のタイプに従って、伝送される複数のアップリンクチャネル／信号から、伝送する１つのアップリンクチャネル／信号を決定する例示的なブロック図である。
【図７】本発明の実施例の端末機器に２つのチャネル／信号がある別のシナリオの例である。
【図８】ないし
【図１０】本発明の実施例の端末機器が、図７のシナリオでの第１の情報の時間領域位置に従って、伝送される複数のアップリンクチャネル／信号から、伝送する１つのアップリンクチャネル／信号を決定する例示的なブロック図である。
【図１１】本発明の実施例の端末機器に３つのチャネル／信号があるシナリオの例である。
【図１２】本発明の実施例の端末機器が、図１１のシナリオでの第１の情報に従って伝送される３つのアップリンクチャネル／信号から、伝送する１つのアップリンクチャネル／信号を決定する例示的なブロック図である。
【図１３】本発明の実施例の端末機器が、図１１のシナリオでの第１の情報に従って伝送される３つのアップリンクチャネル／信号から、伝送する１つのアップリンクチャネル／信号を決定する別の例示的なブロック図である。
【図１４】本発明の実施例の端末機器の例示的なプロック図である。
【図１５】本発明の実施例の別の端末機器の例示的なプロック図である。
【図１６】本発明の実施例のネットワーク機器の例示的なブロック図である。
【図１７】本発明の実施例の別のネットワーク機器の例示的なプロック図である。
【発明を実施するための形態】
【００３７】
図１は、本発明の実施例の適用シナリオの概略図である。
【００３８】
図１に示されたように、通信システム１００は、端末機器１１０およびネットワーク機器１２０を含むことができる。ネットワーク機器１２０は、エアインターフェースを介して端末機器１１０と通信することができる。端末機器１１０とネットワーク機器１２０の間は、マルチサービス伝送をサポートする。
【００３９】
本発明の実施例は、通信システム１００のみによって例示的な説明したが、本発明の実施例はこれに限定されないことを理解されたい。即ち、本発明の実施例の技術的解決策は、グローバル移動通信（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分割多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ時分割二重（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）など、様々な通信システムに適用されることができる。
【００４０】
さらに、本発明は、ネットワーク機器および端末機器を参照して様々な実施例を説明する。
【００４１】
ここで、ネットワーク機器１２０は、ネットワーク側で信号を送信または受信するための任意のエンティティを指し得る。例えば、マシンタイプ通信（ＭＴＣ）のユーザ機器、ＧＳＭまたはＣＤＭＡの基地局（ＢＴＳ：Ｂａｓｅ  Ｔｒａｎｓｃｅｉｖｅｒ  Ｓｔａｔｉｏｎ）、ＷＣＤＭＡの基地局（ＮｏｄｅＢ）、ＬＴＥの進化型基地局（ｅＮＢまたはｅＮｏｄｅＢ：Ｅｖｏｌｕｔｉｏｎａｌ  Ｎｏｄｅ  Ｂ）、５Ｇネットワークの基地局機器等であってもよい。
【００４２】
端末機器１１０は、任意の端末機器であってもよい。具体的に、端末機器１１０は、無線アクセスネットワーク（ＲＡＮ：Ｒａｄｉｏ  Ａｃｃｅｓｓ  Ｎｅｔｗｏｒｋ）を介して１つのまたは複数のコアネットワーク（Ｃｏｒｅ  Ｎｅｔｗｏｒｋ）と通信することができ、アクセス端末、ユーザ機器（ＵＥ：Ｕｓｅｒ  Ｅｑｕｉｐｍｅｎｔ）、ユーザユニット、ユーザステション、移動ステション、移動局、遠隔ステション、遠隔端末、移動機器、ユーザ端末、端末、無線通信機器、ユーザエージェントまたはユーザ装置と称し得る。例えば、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を備えたハンドレルド機器、コンピュータ機器またはワイヤレスモデムに接続された他の処理機器、車載機器、ウェアラブル機器、５Ｇネットワークにおける端末機器等であってもよい。
【００４３】
図２は、本発明の実施例の情報伝送方法の例示的なフローチャートである。
【００４４】
具体的には、図２に示されたように、前記方法は、次のステップを含む。
【００４５】
ステップ２１０において、端末機器は、伝送される複数のアップリンクチャネル／信号を決定し、前記複数のアップリンクチャネル／信号は、時間領域で少なくとも部分的にオーバーラップする。
【００４６】
ステップ２２０において、前記端末機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を伝送することを決定する。
【００４７】
ここで、前記アップリンクチャネル／信号は、
物理アップリンク共有チャネル（ＰＵＳＣＨ  ：Ｐｈｙｓｉｃａｌ  Ｕｐｌｉｎｋ  Ｓｈａｒｅｄ  Ｃｈａｎｎｅｌ）、物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）、およびサウンディング基準信号（ＳＲＳ：Ｓｏｕｎｄｉｎｇ  Ｒｅｆｅｒｅｎｃｅ  Ｓｉｇｎａｌ）のうちの少なくとも１つを含むが、これらに限定されない。
【００４８】
本発明の実施例において、端末機器は、前記複数のアップリンクチャネル／信号の少なくとも１つのアップリンクチャネル／信号に関する第１の情報に従って、前記複数のアップリンクチャネル／信号のうちの１つのアップリンクチャネル／信号を明確的に送信することができ、伝送の成功率およびユーザ体験をさらに向上させることができる。
【００４９】
本発明の実施例におけるアップリンクチャネル／信号に関する第１の情報は、チャネル／信号に関するスケジューリング情報、また、はチャネル／信号に関する構成情報等であってもよいことに理解されたく、本発明の実施例は具体的に限定しない。本発明の実施例の少なくとも１つのアップリンクチャネル／信号に関する第１の情報は、指前記少なくとも１つのアップリンクチャネル／信号のうちの各アップリンクチャネル／信号に関する第１の情報を指し得、即ち、１つのアップリンクチャネル／信号は、１つの第１の情報に対応することができることをさらに理解されたい。
【００５０】
例えば、前記チャネル／信号は、動的にスケジューリングされたＰＵＳＣＨであり、前記第１の情報は、ＤＣＩ  ｆｏｒｍａｔ  ０＿０、ＤＣＩ  ｆｏｒｍａｔ  ０＿１などの前記ＰＵＳＣＨに対応するスケジューリング情報であり得る。別の例として、前記チャネル／信号は、動的にスケジューリングされた物理ダウンリンク共享チャネル（ＰＤＳＣＨ：Ｐｈｙｓｉｃａｌ  Ｄｏｗｎｌｉｎｋ  Ｓｈａｒｅｄ  Ｃｈａｎｎｅｌ）に対応する確認／非確認（ＡＣＫ／ＮＡＣＫ）フィードバック情報を搬送するＰＵＣＣＨであり、前記第１の情報は、ダウンリンク制御情報（ＤＣＩ：Ｄｏｗｎｌｉｎｋ  Ｃｏｎｔｒｏｌ  Ｉｎｆｏｒｍａｔｉｏｎ）フォーマット（ｆｏｒｍａｔ）１＿０、ＤＣＩ  ｆｏｒｍａｔ  １＿１を含むことなど、前記ＰＤＳＣＨに対応するスケジューリング情報であり得、別の例として、前記チャネル／信号は、非周期チャネル状態情報（ＣＳＩ  ：Ｃｈａｎｎｅｌ  Ｓｔａｔｅ  Ｉｎｆｏｒｍａｔｉｏｎ）を搬送するＰＵＣＣＨであり、前記第１の情報は、前記非周期ＣＳＩをトリガするための情報であり得、または前記第１の情報は、前記ＰＵＣＣＨがリソースを伝送するように指示するための情報であり得、および前記チャネル／信号は非周期ＳＲＳであり、前記第１の情報は、前記非周期ＳＲＳをトリガするための情報であり得る。
【００５１】
他の実施例において、例えば、前記チャネル／信号は、半永続的にスケジューリングされたＰＵＳＣＨであり、前記第１の情報は、前記ＰＵＳＣＨのリソースを指示するための構成情報であり得、別の例として、前記チャネル／信号は、半永続スケジューリングを含むＰＤＳＣＨに対応する確認／非確認（ＡＣＫ／ＮＡＣＫ）フィードバック情報を搬送するＰＵＣＣＨであり、前記第１の情報は、前記ＰＵＣＣＨのリソースの構成情報を指示するために使用され、別の例として、前記チャネル／信号は、周期ＣＳＩまたは半永続ＣＳＩを搬送するＰＵＣＣＨであり、前記第１の情報は、前記ＰＵＣＣＨのリソースを指示するための構成情報であり、別の例として、前記チャネル／信号は周期ＳＲＳであり、前記第１の情報は、前記周期ＳＲＳのリソース構成を指示するための情報であり得る。
【００５２】
以下は、前記端末機器が、前記複数のアップリンクチャネル／信号の少なくとも１つのアップリンクチャネル／信号に関する第１の情報に従って、前記複数のアップリンクチャネル／信号のうちの１つのアップリンクチャネル／信号を伝送することを決定する実現形態に対して説明する。
【００５３】
一実施例において、前記端末機器は、前記少なくとも１つのアップリンクチャネル／信号に関する第１の情報の時間領域位置および／または前記少なくとも１つのアップリンクチャネル／信号に関する第１の情報のカテゴリに従って、前記複数のアップリンクチャネル／信号のうちの１つのアップリンクチャネル／信号を伝送することを決定する。別の一実施例において、前記端末機器は、前記複数のアップリンクチャネル／信号のうちの各アップリンクチャネル／信号に関する第１の情報に従って、前記複数のアップリンクチャネル／信号のうちの１つのアップリンクチャネル／信号を伝送することを決定する。例えば、前記端末機器は、前記複数のアップリンクチャネル／信号のうちの各アップリンクチャネル／信号に関する第１の情報のカテゴリに従って、前記複数のアップリンクチャネル／信号のうちの１つのアップリンクチャネル／信号を伝送することを決定することができる。具体的な一実施例において、前記端末機器は、前記各アップリンクチャネル／信号に関する第１の情報のカテゴリの中で優先度が最も高い第１の情報のカテゴリに対応するアップリンクチャネル／信号を伝送することを決定することができる。ここで、前記第１の情報のカテゴリは、ダウンリンク制御情報および／または上位層シグナリングを含むが、これらに限定されない。前記ダウンリンク制御情報は、動的にスケジューリングされたＰＵＳＣＨ、動的にスケジューリングされたＰＵＳＣＨに対応する確認／非確認（ＡＣＫ／ＮＡＣＫ）フィードバック情報を搬送するＰＵＣＣＨ、非周期チャネル状態情報（ＣＳＩ）を搬送するＰＵＣＣＨ、および非周期ＳＲＳのうちの少なくとも１つのチャネル／信号に関する第１の情報を含むが、これらに限定されない。前記上位層シグナリングは、半永続的にスケジューリングされたＳＰＳ  ＰＵＳＣＨ、半永続的にスケジューリングされたＰＤＳＣＨに対応する確認／非確認（ＡＣＫ／ＮＡＣＫ）フィードバック情報を搬送するＰＵＣＣＨ、周期チャネル状態情報（ＣＳＩ）を搬送するＰＵＣＣＨ、半永続的チャネル状態情報（ＳＰＳ  ＣＳＩ）を搬送するＰＵＣＣＨ、および周期ＳＲＳのうちの少なくとも１つのチャネル／信号に関する第１の情報を含むが、これらに限定されない。ダウンリンク制御情報の優先度は上位層シグナリングの優先度より高い。
【００５４】
図３ないし図６を参照すると、図３は、本発明の実施例の端末機器に２つのチャネル／信号があるシナリオの例である。図４ないし図６は、本発明の実施例の端末機器が、図３のシナリオでの第１の情報のタイプに従って、伝送される複数のアップリンクチャネル／信号から、伝送する１つのアップリンクチャネル／信号を決定する例示的なブロック図である。
【００５５】
図３に示されたように、端末機器の２つの伝送されるチャネル／信号は、ＣＳＩを搬送するＰＵＣＣＨ（または半永続的にスケジューリングされたＰＵＳＣＨ）および動的にスケジューリングされたＰＵＳＣＨ（動的にスケジューリングされたＰＵＳＣＨに対応するＡＣＫ／ＮＡＣＫフィードバック情報を搬送するＰＵＣＣＨ）を含み、ここで、ＣＳＩを搬送するＰＵＣＣＨ（または半永続的にスケジューリングされたＰＵＳＣＨ）に対応するスケジューリング情報は上位層シグナリングであり、その伝送パラメータは上位層シグナリングを介して構成される。動的にスケジューリングされたＰＵＳＣＨ（動的にスケジューリングされたＰＵＳＣＨに対応するＡＣＫ／ＮＡＣＫフィードバック情報を搬送するＰＵＣＣＨ）に対応するスケジューリングシグナリングはダウンリンク制御シグナリングである。端末機器は、動的にスケジューリングされたＰＵＳＣＨ（動的にスケジューリングされたＰＵＳＣＨに対応するＡＣＫ／ＮＡＣＫフィードバック情報を搬送するＰＵＣＣＨ）優先度の高さを決定することができる。これにより、端末機器は、時間領域のオーバーラップ部分が動的にスケジューリングされたＰＵＳＣＨ（動的にスケジューリングされたＰＵＳＣＨに対応するＡＣＫ／ＮＡＣＫフィードバック情報を搬送するＰＵＣＣＨ）のみを伝送することを決定する。具体的に、図４に示されたように、前記端末機器は、１つのタイムスロット内で、時間領域のオーバーラップ部分から動的にスケジューリングされたＰＵＳＣＨ（動的にスケジューリングされたＰＵＳＣＨに対応するＡＣＫ／ＮＡＣＫフィードバック情報を搬送するＰＵＣＣＨ）のみの伝送を開始することを決定することができ、図５に示されたように、前記端末機器は、１つのタイムスロットで、動的にスケジューリングされたＰＵＳＣＨ（動的にスケジューリングされたＰＵＳＣＨに対応するＡＣＫ／ＮＡＣＫフィードバック情報を搬送するＰＵＣＣＨ）のみを伝送することを決定することができ、図６に示されたように、前記端末機器は、１つのタイムスロット内で、動的にスケジューリングされたＰＵＳＣＨ（動的にスケジューリングされたＰＵＳＣＨに対応するＡＣＫ／ＮＡＣＫフィードバック情報を搬送するＰＵＣＣＨ）がオーバーラップ部分のみで伝送することができる。図４ないし図６における実線のボックスは伝送を示し、点線のボックスは送信が実行されてないことを示すことを理解されたい。
【００５６】
前記関連するタイムスロットは例示的な説明のみであり、本発明の実施例はこれらに限定されないことを理解されたい。例えば、伝送時間ユニットまたはシンボルなどであってもよい。
【００５７】
本発明の実施例は、ダウンリンク制御情報の優先度が上位層シグナリングの優先度より高いことを例として、他の実施例において、上位層シグナリングの優先度がダウンリンク制御情報の優先度より高いこともあることを理解されたい。本発明の実施例は具体的に限定しない。
【００５８】
具体的な他の実施例において、前記端末機器は、前記複数のアップリンクチャネル／信号のうちの各アップリンクチャネル／信号に関する第１の情報の時間領域位置に従って、前記複数のアップリンクチャネル／信号のうちの１つのアップリンクチャネル／信号を伝送することを決定する。例えば、前記端末機器は、前記各アップリンクチャネル／信号に関する第１の情報の中で優先度が最も高い第１の情報に対応するアップリンクチャネル／信号を伝送することを決定することができる。具体的な一実施例において、前記端末機器は、前記各アップリンクチャネル／信号に関する第１の情報で、時間領域でその開始位置が最も後の第１の情報に対応するアップリンクチャネル／信号を伝送することを決定することができる。即ち時間領域では、開始位置が後に位置する第１の情報の優先度が、開始位置が前に位置する第１の情報の優先度より高い。
【００５９】
図７ないし図１０を参照すると、図７は、本発明の実施例の端末機器に２つのチャネル／信号があるシナリオの例である。図８ないし図１０は、本発明の実施例の端末機器が、図７のシナリオで、第１の情報の時間領域位置に従って、複数のアップリンクチャネル／信号から、伝送する１つのアップリンクチャネル／信号を決定する例示的なブロック図である。
【００６０】
図７に示されたように、端末機器の伝送されるチャネル／信号は、動的にスケジューリングされたＰＵＳＣＨおよび動的にスケジューリングされたＰＵＳＣＨに対応するＡＣＫ／ＮＡＣＫフィードバック情報を搬送するＰＵＣＣＨを含む。ダウンリンク制御シグナリング２の時間領域位置が後ろにあると、端末はＰＵＳＣＨの優先度が高いとを決定する。端末は、時間領域のオーバーラップ部分からはＰＵＳＣＨのみを伝送することを決定する。具体的に、図８に示されたように、前記端末機器は、時間領域のオーバーラップ部分からＰＵＳＣＨのみを伝送することを決定することができ、図９に示されたように、前記端末機器はＰＵＳＣＨのみを伝送することを決定することができ、図１０に示されたように、前記端末機器は、オーバーラップ部分でＰＵＳＣＨのみを伝送することを決定することができる。図８ないし図１０における実線のボックスは伝送を示し、点線のボックスは送信が行われてないことを示すことを理解されたい。
【００６１】
具体的な他の実施例において、端末機器は、前記複数のアップリンクチャネル／信号のうちの各アップリンクチャネル／信号に関する第１の情報の時間領域位置、および前記各アップリンクチャネル／信号に関する第１の情報のカテゴリを組み合わせて、前記複数のアップリンクチャネル／信号のうちの１つのアップリンクチャネル／信号を伝送することを決定することができる。
【００６２】
図１１ないし図１３を参照すると、ここで、図１１は、本発明の実施例の端末機器に３つのチャネル／信号があるシナリオの例である。図１２および図１３は、本発明の実施例の端末機器が、図１１シナリオでの第１の情報の時間領域位置およびカテゴリに従って、伝送される３つのアップリンクチャネル／信号から、伝送する１つのアップリンクチャネル／信号を決定する例示的なブロック図である。
【００６３】
図１１に示されたように、前記端末機器の伝送されるチャネル／信号は、
半永続的にスケジューリングされたＰＵＳＣＨ（ＳＰＳ  ＰＵＳＣＨ：ｓｅｍｉ−ｐｅｒｓｉｓｔｅｎｔ  ＰＵＳＣＨ）、動的にスケジューリングされたＰＵＳＣＨに対応するＡＣＫ／ＮＡＣＫフィードバック情報を搬送するＰＵＣＣＨ、動的にスケジューリングされたＰＵＳＣＨを含む。前記実施例の説明を組み合わせて、前記端末は、動的にスケジューリングされたＰＵＳＣＨの優先度が最も高く、その次は、動的にスケジューリングされたＰＵＳＣＨに対応するＡＣＫ／ＮＡＣＫフィードバック情報を搬送するＰＵＣＣＨであり、最後は、半永続スケジューリングＳＰＳ−ＰＵＳＣＨであることを決定することができる。即ち、前記端末は、時間領域のオーバーラップ部分では、動的にスケジューリングされたＰＵＳＣＨのみを伝送することを決定する。具体的に、図１２に示されたように、前記端末機器は、３つのチャネルで全てオーバーラップする部分でＰＵＳＣＨのみを伝送し、半永続スケジューリングＳＰＳ−ＰＵＳＣＨおよびＰＵＣＣＨのオーバーラップされる部分でＰＵＣＣＨのみを伝送することを決定することができる。図１３に示されたように、前記端末機器はＰＵＳＣＨのみを伝送することを決定することができる。図１２ないし図１３における実線のボックスは伝送を示し、点線のボックスは送信が行われてないことを示すことを理解されたい。
【００６４】
図３ないし図１３は、端末機器が前記各アップリンクチャネル／信号に関する第１の情報の優先度に従って、前記複数のアップリンクチャネル／信号のうちの１つのアップリンクチャネル／信号を伝送することを決定することのみを例とするが、本発明の実施例はこれらに限定されない。他の実施例において、前記端末機器は、前記各アップリンクチャネル／信号の優先度に従って、前記複数のアップリンクチャネル／信号のうちの１つのアップリンクチャネル／信号を直接に決定することもできる。
【００６５】
図１４は、本発明の実施例の端末機器の例示的なプロック図である。
【００６６】
具体的には、図１４に示されたように、前記端末機器は、
伝送される複数のアップリンクチャネル／信号を決定するように構成される決定ユニット３１０であって、前記複数のアップリンクチャネル／信号は、時間領域で少なくとも部分的にオーバーラップする決定ユニット３１０と、
前記複数のアップリンクチャネル／信号の少なくとも１つのアップリンクチャネル／信号に関する第１の情報従って、前記複数のアップリンクチャネル／信号のうちの１つのアップリンクチャネル／信号を伝送することを決定するように構成される伝送ユニット３２０とを含む。
【００６７】
選択的に、前記アップリンクチャネル／信号は、
物理アップリンク共有チャネル（ＰＵＳＣＨ）、
物理アップリンク制御チャネル（ＰＵＣＣＨ）、および
サウンディング基準信号（ＳＲＳ）のうちの少なくとも１つを含む。
【００６８】
選択的に、前記伝送ユニット３２０は、具体的に、
前記少なくとも１つのアップリンクチャネル／信号に関する第１の情報の時間領域位置および／または前記少なくとも１つのアップリンクチャネル／信号に関する第１の情報のカテゴリに従って、前記複数のアップリンクチャネル／信号のうちの１つのアップリンクチャネル／信号を伝送することを決定するように構成される。
【００６９】
選択的に、前記伝送ユニット３２０は、具体的に、
前記複数のアップリンクチャネル／信号のうちの各アップリンクチャネル／信号に関する第１の情報の時間領域位置に従って、前記複数のアップリンクチャネル／信号のうちの１つのアップリンクチャネル／信号を伝送することを決定するように構成される。
【００７０】
選択的に、前記伝送ユニット３２０は、より具体的に、
時間領域では、開始位置が後に位置する第１の情報の優先度が、開始位置が前に位置する第１の情報の優先度より高いという基準に従って、前記各アップリンクチャネル／信号に関する第１の情報の中で優先度が最も高い第１の情報に対応するアップリンクチャネル／信号を伝送することを決定するように構成される。
【００７１】
選択的に、前記伝送ユニット３２０は、具体的に、
前記複数のアップリンクチャネル／信号のうちの各アップリンクチャネル／信号に関する第１の情報のカテゴリに従って、前記複数のアップリンクチャネル／信号のうちの１つのアップリンクチャネル／信号を伝送することを決定するように構成される。
【００７２】
選択的に、前記伝送ユニット３２０は、より具体的に、
ダウンリンク制御情報の優先度は上位層シグナリングの優先度より高いという基準に従って、前記各アップリンクチャネル／信号に関する第１の情報のカテゴリの中で優先度が最も高い第１の情報のカテゴリに対応するアップリンクチャネル／信号を伝送することを決定するように構成される。
【００７３】
選択的に、前記伝送ユニット３２０は、具体的に、
前記複数のアップリンクチャネル／信号のうちの各アップリンクチャネル／信号に関する第１の情報の時間領域位置および前記各アップリンクチャネル／信号に関する第１の情報のカテゴリに従って、前記複数のアップリンクチャネル／信号のうちの１つのアップリンクチャネル／信号を伝送することを決定するように構成される。
【００７４】
選択的に、前記伝送ユニット３２０より具体的に、
ダウンリンク制御情報の優先度は上位層シグナリングの優先度より高く、
前記第１の情報のカテゴリが同じ場合、時間領域では、開始位置が後に位置する第１の情報の優先度が、開始位置が前に位置する第１の情報の優先度より高いという基準に従って、前記各アップリンクチャネル／信号に関する第１の情報の中で優先度が最も高い第１の情報に対応するアップリンクチャネル／信号を伝送することを決定するように構成される。
【００７５】
選択的に、前記第１の情報のカテゴリは、
ダウンリンク制御情報および／または上位層シグナリングを含む。
【００７６】
選択的に、前記アップリンクチャネル／信号に関する第１の情報は、
前記アップリンクチャネル／信号は、動的にスケジューリングされたＰＵＳＣＨであり、前記関連する第１の情報は、ＰＵＳＣＨをスケジューリングするためのダウンリンク制御情報であることと、
前記アップリンクチャネル／信号は、動的にスケジューリングされたＰＵＳＣＨに対応する確認／非確認（ＡＣＫ／ＮＡＣＫ）フィードバック情報を搬送するＰＵＣＣＨであり、前記関連する第１の情報は、ＰＤＳＣＨをスケジューリングするためのダウンリンク制御情報であることと、
前記アップリンクチャネル／信号は、非周期チャネル状態情報（ＣＳＩ）を搬送するＰＵＣＣＨであり、前記関連する第１の情報は、非周期ＣＳＩの伝送をトリガするためのダウンリンク制御情報であることと、
前記アップリンクチャネル／信号は非周期ＳＲＳであり、前記関連する第１の情報は、非周期ＳＲＳの伝送をトリガするためのダウンリンク制御情報であることと、
前記アップリンクチャネル／信号は、半永続的にスケジューリングされたＳＰＳ  ＰＵＳＣＨであり、前記関連する第１の情報は、ＳＰＳ  ＰＵＳＣＨの伝送パラメータを指示する上位層シグナリングであることと、
前記アップリンクチャネル／信号は、半永続的にスケジューリングされたＰＤＳＣＨに対応する確認／非確認（ＡＣＫ／ＮＡＣＫ）フィードバック情報を搬送するＰＵＣＣＨであり、前記関連する第１の情報は、ＰＵＣＣＨの伝送パラメータを指示するための上位層シグナリングであることと、
前記アップリンクチャネル／信号は、周期チャネル状態情報（ＣＳＩ）を搬送するＰＵＣＣＨであり、前記関連する第１の情報は、ＰＵＣＣＨの伝送パラメータを指示するための上位層シグナリングであることと、
前記アップリンクチャネル／信号は、半永続的チャネル状態情報（ＳＰＳ  ＣＳＩ）を搬送するＰＵＣＣＨであり、前記関連する第１の情報は、ＰＵＣＣＨの伝送パラメータを指示するための上位層シグナリングであることと、および
前記アップリンクチャネル／信号は周期ＳＲＳであり、前記関連する第１の情報は、ＳＲＳの伝送パラメータを指示するための上位層シグナリングであることとを含む。
【００７７】
本発明の実施例において、決定ユニット３１０はプロセッサによって実現することができ、伝送ユニット３２０は、トランシーバによって実現することができる。図１５に示されたように、端末機器４００は、プロセッサ４１０、トランシーバ４２０およびメモリ４３０を含むことができる。ここで、メモリ４３０は、情報を記憶するために使用され、さらにプロセッサ４１０によって実行されるコード、命令などを記憶するために使用される。端末機器４００における様々なコンポーネントは、バスシステムを介して接続され、ここで、データバスに加えて、バスシステムは、電力バス、コントロールバスおよびステータス信号バスをさらに含む。
【００７８】
図１５に示された端末機器４００は、前述した図２の方法の実施例で端末機器によって実現される様々なプロセスを実現することができ、繰り返しを避けるために、ここでは詳しく説明しない。
【００７９】
図１６は、本発明の実施例のネットワーク機器の例示的なブロック図である。
【００８０】
具体的には、図１６に示されたように、前記ネットワーク機器は、
受信される複数のアップリンクチャネル／信号を決定するように構成される決定ユニット５１０であって、前記複数のアップリンクチャネル／信号は、時間領域で少なくとも部分的にオーバーラップする決定ユニット５１０と、
前記複数のアップリンクチャネル／信号の少なくとも１つのアップリンクチャネル／信号に関する第１の情報に従って、前記複数のアップリンクチャネル／信号のうちの１つのアップリンクチャネル／信号を受信することを決定するように構成される受信ユニット５２０とを含む。
【００８１】
選択的に、前記アップリンクチャネル／信号は、
物理アップリンク共有チャネル（ＰＵＳＣＨ）、
物理アップリンク制御チャネル（ＰＵＣＣＨ）、および
サウンディング基準信号（ＳＲＳ）のうちの少なくとも１つを含む。
【００８２】
選択的に、前記受信ユニット５２０は、具体的に、
前記少なくとも１つの各アップリンクチャネル／信号に関する第１の情報の時間領域位置および／または前記少なくとも１つの各アップリンクチャネル／信号に関する第１の情報のカテゴリに従って、前記複数のアップリンクチャネル／信号のうちの１つのアップリンクチャネル／信号を受信することを決定するように構成される。
【００８３】
選択的に、前記受信ユニット５２０は、具体的に、
前記複数のアップリンクチャネル／信号のうちの各アップリンクチャネル／信号に関する第１の情報の時間領域位置に従って、前記複数のアップリンクチャネル／信号のうちの１つのアップリンクチャネル／信号を受信することを決定するように構成される。
【００８４】
選択的に、前記受信ユニット５２０は、より具体的に、
時間領域では、開始位置が後に位置する第１の情報の優先度が、開始位置が前に位置する第１の情報の優先度より高いという基準に従って、前記各アップリンクチャネル／信号に関する第１の情報の中で優先度が最も高い第１の情報に対応するアップリンクチャネル／信号を受信することを決定するように構成される。
【００８５】
選択的に、前記受信ユニット５２０は、具体的に、
前記複数のアップリンクチャネル／信号のうちの各アップリンクチャネル／信号に関する第１の情報のカテゴリに従って、前記複数のアップリンクチャネル／信号のうちの１つのアップリンクチャネル／信号を受信することを決定するように構成される。
【００８６】
選択的に、前記受信ユニット５２０は、より具体的に、
ダウンリンク制御情報の優先度は上位層シグナリングの優先度より高いという基準に従って、前記各アップリンクチャネル／信号に関する第１の情報のカテゴリの中で優先度が最も高い第１の情報のカテゴリに対応するアップリンクチャネル／信号を受信することを決定するように構成される。
【００８７】
選択的に、前記受信ユニット５２０は、具体的に、
前記複数のアップリンクチャネル／信号のうちの各アップリンクチャネル／信号に関する第１の情報の時間領域位置および前記各アップリンクチャネル／信号に関する第１の情報のカテゴリに従って、前記複数のアップリンクチャネル／信号のうちの１つのアップリンクチャネル／信号を受信することを決定するように構成される。
【００８８】
選択的に、前記受信ユニット５２０は、より具体的に、
ダウンリンク制御情報の優先度は上位層シグナリングの優先度より高く、
前記第１の情報のカテゴリが同じ場合、時間領域では、開始位置が後に位置する第１の情報の優先度が、開始位置が前に位置する第１の情報の優先度より高いという基準に従って、前記各アップリンクチャネル／信号に関する第１の情報の中で優先度が最も高い第１の情報に対応するアップリンクチャネル／信号を受信することを決定するように構成される。
【００８９】
選択的に、前記第１の情報のカテゴリは、
ダウンリンク制御情報および／または上位層シグナリングを含む。
【００９０】
選択的に、前記アップリンクチャネル／信号に関する第１の情報は、
前記アップリンクチャネル／信号は、動的にスケジューリングされたＰＵＳＣＨであり、前記関連する第１の情報は、ＰＵＳＣＨをスケジューリングするためのダウンリンク制御情報であることと、
前記アップリンクチャネル／信号は、動的にスケジューリングされたＰＵＳＣＨに対応する確認／非確認（ＡＣＫ／ＮＡＣＫ）フィードバック情報を搬送するＰＵＣＣＨであり、前記関連する第１の情報は、ＰＤＳＣＨをスケジューリングするためのダウンリンク制御情報であることと、
前記アップリンクチャネル／信号は、非周期チャネル状態情報（ＣＳＩ）を搬送するＰＵＣＣＨであり、前記関連する第１の情報は、非周期ＣＳＩの伝送をトリガするためのダウンリンク制御情報であることと、
前記アップリンクチャネル／信号は非周期ＳＲＳであり、前記関連する第１の情報は、非周期ＳＲＳの伝送をトリガするためのダウンリンク制御情報であることと、
前記アップリンクチャネル／信号は、半永続的にスケジューリングされたＳＰＳ  ＰＵＳＣＨであり、前記関連する第１の情報は、ＳＰＳ  ＰＵＳＣＨの伝送パラメータを指示する上位層シグナリングであることと、
前記アップリンクチャネル／信号は、半永続的にスケジューリングされたＰＤＳＣＨに対応する確認／非確認（ＡＣＫ／ＮＡＣＫ）フィードバック情報を搬送するＰＵＣＣＨであり、前記関連する第１の情報は、ＰＵＣＣＨの伝送パラメータを指示するための上位層シグナリングであることと、
前記アップリンクチャネル／信号は、周期チャネル状態情報（ＣＳＩ）を搬送するＰＵＣＣＨであり、前記関連する第１の情報は、ＰＵＣＣＨの伝送パラメータを指示するための上位層シグナリングであることと、
前記アップリンクチャネル／信号は、半永続的チャネル状態情報（ＳＰＳ  ＣＳＩ）を搬送するＰＵＣＣＨであり、前記関連する第１の情報は、ＰＵＣＣＨの伝送パラメータを指示するための上位層シグナリングであることと、および
前記アップリンクチャネル／信号は周期ＳＲＳであり、前記関連する第１の情報は、ＳＲＳの伝送パラメータを指示するための上位層シグナリングであることとを含む。
【００９１】
本発明の実施例において、決定ユニット５１０は、プロセッサによって実現されることができ、受信ユニットは、５２０トランシーバによって実現されることができる。図１７に示されたように、ネットワーク機器６００は、プロセッサ６１０、トランシーバ６２０およびメモリ６３０を含むことができる。ここで、メモリ６３０は、指示情報を記憶するために使用され、プロセッサ６１０によって実行されるコード、命令などを記憶するために使用されることもできる。ネットワーク機器６００における様々なコンポーネントは、バスシステムを介して接続され、ここで、バスシステムは、データバスに加えて、電力バス、コントロールバスおよびステータ信号バスをさらに含む。
【００９２】
図１７に示されたネットワーク機器６００は、前記方法の実施例でネットワーク機器によって実現される様々なプロセスを実現することができ、繰り返しを避けるために、ここでは詳しく説明しない。
【００９３】
実現プロセスにおいて、本発明の実施例における方法の実施例の各ステップは、プロセッサにおけるハードウェアの集積論理回路またはソフトウェアの形によって実現されることができる。より具体的に、本発明の実施例に開示された方法のステップに合わせて、ハードウェア復号化プロセッサに直接に具現されることができ、または復号化プロセッサにおけるハードウェアおよびソフトウェアモジュールの組み合わせによって実行されてもよい。ソフトウェアモジュールは、ランダムアクセスメモリ、フラッシュメモリ、読み取り専用メモリ、プログラマブル読み取り専用メモリまたは電気的に消去可能なプログラマブルメモリ、レジスタなどの本分野の従来の記憶媒体に配置されることができる。前記記憶媒体はメモリに配置され、プロセッサがメモリ内の情報を読み取って、そのハードウェアと組み合わせて前記方法のステップを完成する。
【００９４】
本発明の実施例に説明されたプロセッサは、信号処理機能を備える集積回路チップであることができ、本発明の実施例における開示される各方法、ステップおよび論理ブロック図を実現または実行することができることを理解されたい。例えば、前記プロセッサは、汎用プロセッサ、デジタル信号プロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）または他のプログラマブルロジックデバイス、トランジスタロジックデバイス、ディスクリートハードウェアコンポ―ネットなどであってもよい。さらに、汎用プロセッサは、マイクロプロセッサであってもよく、または前記プロセッサは任意の従来のプロセッサなどであってもよい。
【００９５】
さらに、本発明の実施例に説明されたメモリは、揮発性メモリまたは非揮発性メモリであってもよく、または揮発性および非揮発性メモリ両者の両方を含んでもよいことを理解されたい。ここで、非揮発性メモリは、読み取り専用メモリ（ＲＯＭ：ｒｅａｄ−ｏｎｌｙ  ｍｅｍｏｒｙ）、プログラム可能な読み取り専用メモリ（ＰＲＯＭ：ｐｒｏｇｒａｍｍａｂｌｅ  ｒｏｍ）、消去可能なプログラム可能な読み取り専用メモリ（ＥＰＲＯＭ：ｅｒａｓａｂｌｅ  ＰＲＯＭ）、電気的消去可能なプログラム可能な読み取り専用メモリ（ＥＥＰＲＯＭ：ｅｌｅｃｔｒｉｃａｌｌｙ  ＥＰＲＯＭ）またはフラッシュメモリであってもよい。揮発性メモリは、外部キャッシュ（Ｅｘｔｅｒｎａｌ  ｃａｃｈｅ）として、ランダムアクセスメモリ（ＲＡＭ：ｒａｎｄｏｍ  ａｃｃｅｓｓ  ｍｅｍｏｒｙ）であってもよい。前記メモリは、例示的であるが限定的な説明ではないが、例えば、本発明の実施例におけるメモリは、スタティックランダムアクセスメモリ（ＳＲＡＭ：ｓｔａｔｉｃ  ＲＡＭ）、ダイナミックランダムアクセスメモリ（ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、強化された同期ダイナミックランダムアクセスメモリ（ＥＳＤＲＡＭ：ｅｎｈａｎｃｅｄ  ＳＤＲＡＭ）、ダイナミックランダムアクセスメモリの同期接続（ＳＬＤＲＡＭ：ｓｙｎｃｈｌｉｎｋ  ＤＲＡＭ）およびダイレクトメモリバスランダムアクセスメモリ（ＤＲ  ＲＡＭ：ｄｉｒｅｃｔ  ｒａｍｂｕｓ  ＲＡＭ）などであってもよいことを理解されたい。即ち、本明細書で説明するシステムおよび方法のメモリは、これらおよび任意の他の適切なタイプのメモリを含むがこれに限定されないことを意図する。
【００９６】
最後に、本発明の実施例および添付の特許請求の範囲に使用された用語は、特定の実施例を説明するためのものであり、本発明の実施例を限定するものではないことに留意されたい。
【００９７】
本開示の実施例および特許請求の範囲に使用された単数形の「１つ」、「前記」、「上記」および「当該」などもコンテキストに他の意味を含まない限り、複数の形態を含むことを意図している。または、文脈により、ここに使用された語句「…場合」は「…と」または「…ば」または「…時」または「…決定に応答して」または「…検出に応答して」などと理解されてもよい。類似して、文脈により、語句「決定すると」または「検出すれば（説明された条件またはイベント）」は「決定する場合」または「…決定に応答して」または「検出（説明された条件またはイベント）する場合」または「検出（説明された条件またはイベント）に応答する」と理解されてもよい。
【００９８】
当業者は、本明細書に開示される実施例で説明された各例示のユニットおよびアルゴリズムステップを組み合わせることにより、電子ハードウェア、またはコンピュータソフトウェアと電子ハードウェアの組み合わせで実現されることができることを理解されたい。これらの機能がハードウェアで実行されるかソフトウェアで実行されるかは、技術的解決策の特定の応用および設計の制約条件に依存する。専門技術者は、各特定の応用に対して異なる方法を使用して説明された機能を実現することができるが、このような実現は本発明の範囲を超えると見なされるべきではない。
【００９９】
当業者は、説明の便宜上および簡潔さのために、前記説明されたシステム、装置およびユニットの具体的な作業プロセスは、前述の方法の実施例における対応するプロセスを参照することができることを明確に理解することができ、詳細はここでは再度説明しない。
【０１００】
本発明によって提供されるいくつかの実施例において、開示されたシステム、装置および方法は、他の方法で実現され得ることを理解されたい。例えば、上記で説明された装置の実施例は単なる例示的であり、例えば、前記ユニットの分割は論理的な機能の分割に過ぎない。実際の実現の際に、例えば、複数のユニットまたはコンポーネントを組み合わせたり、または他のシステムに統合されたり、または一部の特徴は無視するか実行しない等、他の分割方法が存在することができる。加えて、表示または議論される相互結合または直接結合または通信接続は、いくつかのインターフェイス、装置またはユニットを介した間接な結合または通信接続であってもよく、電気的、機械的または他の形態であってもよい。
【０１０１】
前記個別の部品として説明されるユニットは、物理的に分離される場合とされない場合があり、ユニットとして表示される部品は、物理ユニットである場合とそうでない場合がある。即ち、ある場所に位置するか、または複数のネットワークユニットに分散されることもできる。実際のニーズにしたがって、その中のユニットの一部または全部を選択して本実施例の技術案の目的を実現することができる。
【０１０２】
さらに、本発明の各実施例における各機能ユニットは、１つの処理ユニットに統合されてもよく、各ユニットが物理的に別個に存在してもよく、２つまたは２つ以上のユニットが１つのユニットに統合されてもよい。
【０１０３】
ソフトウェア機能ユニットの形で実装され、独立した製品として販売され、または使用される場合、１つのコンピュータ読み取り可能な記憶媒体に記憶することができる。このような理解に基づいて、本発明の技術的解決策は、本質でまたは先行技術に対して貢献のある部分または当該技術的解決策の一部は、ソフトウェア製品の形で具現されることができ、当該コンピュータソフトウェア製品は、１つの記憶媒体に記憶されて、一台のコンピュータ機器（パーソナルコンピュータ、サーバ、またはネットワーク機器などであリ得る）が本発明の各実施例に記載の方法のステップの全部または一部を実行させるために、いくつかの命令を含む。上記した記憶媒体は、Ｕディスク、モバイルハードディスク、読み取り専用メモリ、ランダムアクセスメモリ、磁気ディスクまたは光ディスクなどのプログラムコードを記憶することができる様々な媒体を含む。
【０１０４】
以上の内容は、本発明の具体的な実施形態に過ぎず、本発明の保護範囲はそれに限定せず、当業者が本発明に開示された技術的範囲内で容易に想到し得る変更または置換は、すべて本発明の保護範囲内に含まれるべきである。したがって、本発明の保護範囲は、特許請求の保護範囲を基準とするべきである。
【図１】
2021516460.tif 000003
【図２】
2021516460.tif 000004
【図３】
2021516460.tif 000005
【図４】
2021516460.tif 000006
【図５】
2021516460.tif 000007
【図６】
2021516460.tif 000008
【図７】
2021516460.tif 000009
【図８】
2021516460.tif 000010
【図９】
2021516460.tif 000011
【図１０】
2021516460.tif 000012
【図１１】
2021516460.tif 000013
【図１２】
2021516460.tif 000014
【図１３】
2021516460.tif 000015
【図１４】
2021516460.tif 000016
【図１５】
2021516460.tif 000017
【図１６】
2021516460.tif 000018
【図１７】
2021516460.tif 000019
【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
情報伝送方法であって、
端末機器が、伝送される複数のアップリンクチャネルを決定することであって、前記複数のアップリンクチャネルは、時間領域で少なくとも部分的にオーバーラップすることと、
前記端末機器が、時間領域位置および／または前記複数のアップリンクチャネルのうちの少なくとも１つのアップリンクチャネルに関する第１の情報のカテゴリに従って、前記複数のアップリンクチャネルのうちの１つのアップリンクチャネルを伝送することを決定することとを含む、前記情報伝送方法。
【請求項２】
前記アップリンクチャネルは、
物理アップリンク共有チャネル（ＰＵＳＣＨ）、および
物理アップリンク制御チャネル（ＰＵＣＣＨ）のうちの少なくとも１つを含む、
請求項１に記載の情報伝送方法。
【請求項３】
前記第１の情報のカテゴリは、
ダウンリンク制御情報および／または上位層シグナリングを含む、
請求項１または２に記載の情報伝送方法。
【請求項４】
前記ダウンリンク制御情報は、前記複数のアップリンクチャネルのうちの少なくとも１つのアップリンクチャネルをスケジューリングするために使用され、または前記上位層シグナリングは、前記複数のアップリンクチャネルの伝送パラメータを構成するために使用される、
請求項３に記載の情報伝送方法。
【請求項５】
前記アップリンクチャネルに関する第１の情報は、
前記アップリンクチャネルは、動的にスケジューリングされたＰＵＳＣＨであり、前記関連する第１の情報は、動的にスケジューリングされたＰＵＳＣＨをスケジューリングするためのダウンリンク制御情報であることと、
前記アップリンクチャネルは、動的にスケジューリングされたＰＵＳＣＨに対応する確認／非確認（ＡＣＫ／ＮＡＣＫ）フィードバック情報を搬送するＰＵＣＣＨであり、前記関連する第１の情報は、ＰＤＳＣＨをスケジューリングするためのダウンリンク制御情報であることと、
前記アップリンクチャネルは、半永続的なスケジューリング（ＳＰＳ）  ＰＵＳＣＨであり、前記関連する第１の情報は、ＳＰＳ  ＰＵＳＣＨの伝送パラメータを指示する上位層シグナリングであることと、および
前記アップリンクチャネルは、ＳＰＳ  ＰＤＳＣＨに対応する確認／非確認（ＡＣＫ／ＮＡＣＫ）フィードバック情報を搬送するＰＵＣＣＨであり、前記関連する第１の情報は、ＰＵＣＣＨの伝送パラメータを指示するための上位層シグナリングであることとを含む、
請求項１ないし４のいずれか一項に記載の情報伝送方法。
【請求項６】
情報受信方法であって、
ネットワーク機器が、受信される複数のアップリンクチャネルを決定することであって、前記複数のアップリンクチャネルは、時間領域で少なくとも部分的にオーバーラップすることと、
前記ネットワーク機器が、時間領域位置および／または前記複数のアップリンクチャネルのうちの少なくとも１つのアップリンクチャネルに関する第１の情報のカテゴリに従って、前記複数のアップリンクチャネルのうちの１つのアップリンクチャネルを受信することを決定することとを含む、前記情報受信方法。
【請求項７】
前記アップリンクチャネルは、
物理アップリンク共有チャネル（ＰＵＳＣＨ）、および
物理アップリンク制御チャネル（ＰＵＣＣＨ）のうちの少なくとも１つを含む、
請求項６に記載の情報受信方法。
【請求項８】
前記第１の情報のカテゴリは、
ダウンリンク制御情報および／または上位層シグナリングを含む、
請求項６または７に記載の情報受信方法。
【請求項９】
前記ダウンリンク制御情報は、前記複数のアップリンクチャネルのうちの少なくとも１つのアップリンクチャネルをスケジューリングするために使用され、または前記上位層シグナリングは、前記複数のアップリンクチャネルの伝送パラメータを構成するために使用される、
請求項８に記載の情報伝送方法。
【請求項１０】
前記アップリンクチャネルに関する第１の情報は、
前記アップリンクチャネルは、動的にスケジューリングされたＰＵＳＣＨであり、前記関連する第１の情報は、動的にスケジューリングされたＰＵＳＣＨをスケジューリングするためのダウンリンク制御情報であることと、
前記アップリンクチャネルは、動的にスケジューリングされたＰＵＳＣＨに対応する確認／非確認（ＡＣＫ／ＮＡＣＫ）フィードバック情報を搬送するＰＵＣＣＨであり、前記関連する第１の情報は、ＰＤＳＣＨをスケジューリングするためのダウンリンク制御情報であることと、
前記アップリンクチャネルは、半永続的なスケジューリング（ＳＰＳ）  ＰＵＳＣＨであり、前記関連する第１の情報は、ＳＰＳ  ＰＵＳＣＨの伝送パラメータを指示する上位層シグナリングであることと、および
前記アップリンクチャネルは、ＳＰＳ  ＰＤＳＣＨに対応する確認／非確認（ＡＣＫ／ＮＡＣＫ）フィードバック情報を搬送するＰＵＣＣＨであり、前記関連する第１の情報は、ＰＵＣＣＨの伝送パラメータを指示するための上位層シグナリングであることとを含む、
請求項６ないし９のいずれか一項に記載の情報受信方法。
【請求項１１】
端末機器であって
伝送される複数のアップリンクチャネルを決定するように構成される決定ユニットであって、前記複数のアップリンクチャネルは、時間領域で少なくとも部分的にオーバーラップする決定ユニットと、
時間領域位置および／または前記複数のアップリンクチャネル／信号の少なくとも１つのアップリンクチャネルに関する第１の情報のカテゴリに従って、前記複数のアップリンクチャネルのうちの１つのアップリンクチャネルを伝送することを決定するように構成される伝送ユニットを含む、前記端末機器。
【請求項１２】
前記アップリンクチャネルは、
物理アップリンク共有チャネル（ＰＵＳＣＨ）、および
物理アップリンク制御チャネル（ＰＵＣＣＨ）のうちの少なくとも１つを含む、
請求項１１に記載の端末機器。
【請求項１３】
前記第１の情報のカテゴリは、
ダウンリンク制御情報および／または上位層シグナリングを含む、
請求項１１または１２に記載の端末機器。
【請求項１４】
前記アップリンクチャネルに関連する第１の情報は、
前記アップリンクチャネルは、動的にスケジューリングされたＰＵＳＣＨであり、前記関連する第１の情報は、動的にスケジューリングされたＰＵＳＣＨをスケジューリングするためのダウンリンク制御情報であることと、
前記アップリンクチャネルは、動的にスケジューリングされたＰＵＳＣＨに対応する確認／非確認（ＡＣＫ／ＮＡＣＫ）フィードバック情報を搬送するＰＵＣＣＨであり、前記関連する第１の情報は、ＰＤＳＣＨをスケジューリングするためのダウンリンク制御情報であることと、
前記アップリンクチャネルは、半永続的なスケジューリング（ＳＰＳ）  ＰＵＳＣＨであり、前記関連する第１の情報は、ＳＰＳ  ＰＵＳＣＨの伝送パラメータを指示する上位層シグナリングであることと、および
前記アップリンクチャネルは、ＳＰＳ  ＰＤＳＣＨに対応する確認／非確認（ＡＣＫ／ＮＡＣＫ）フィードバック情報を搬送するＰＵＣＣＨであり、前記関連する第１の情報は、ＰＵＣＣＨの伝送パラメータを指示するための上位層シグナリングであることとを含む、
請求項１１ないし１３のいずれか一項に記載の端末機器。
【請求項１５】
ネットワーク機器であって、
プロセッサと、
プロセッサによって実行可能な命令を格納するように構成されたメモリと、および
プロセッサに接続されたトランシーバとを含み、
前記プロセッサは、請求項６ないし１０のいずれか一項に記載の方法を実施するために、前記メモリ内の前記命令を実行するように構成される、前記ネットワーク機器。
【国際調査報告】
2021516460.tif 000020
2021516460.tif 000021
2021516460.tif 000022
2021516460.tif 000023